(57)【要約】      （修正有）【課題】複数枚のＩＣカードを処理できるとともに、装置を小型化できるＩＣカード処理装置を提供する。【解決手段】ＩＣカード処理装置１００は、ＩＣカードを搬送させる搬送路と、搬送路中にＩＣカードの搬送面と直交する方向に移動可能に設けられ、第１の位置にあるとき搬送路を構成する第１のガイド部と、ＩＣカードの搬送面と直交する方向に移動した第２の位置にあるとき搬送路を構成する第２のガイド部とを有する保留部５と、保留部が第１の位置にあるときに第１のＩＣカードを第１のガイド部に搬送した後、保留部を第２の位置に移動させることにより第１のＩＣカードを第１のガイド部に保持して搬送路から退避させ、第１のＩＣカードとは異なる第２のＩＣカードを搬送路及び第２のガイド部によってデータ処理部と挿入口１との間で搬送させる制御部と、を有する。【選択図】図１
2017004384.tif 000002
【特許請求の範囲】
【請求項１】
操作者によってＩＣカードが挿入される挿入口と、
前記挿入口から挿入されたＩＣカードを装置内部で往復搬送させる搬送路と、
前記搬送路に沿って設けられ、前記ＩＣカードに対してデータの読取及び書込を行うデータ処理部と、
前記搬送路中に前記ＩＣカードの搬送面と直交する方向に移動可能に設けられ、第１の位置にあるとき前記搬送路を構成する第１のガイド部と、前記ＩＣカードの搬送面と直交する方向に移動した第２の位置にあるとき前記搬送路を構成する第２のガイド部とを有する保留部と、
前記保留部が第１の位置にあるときに前記搬送路を搬送された第１のＩＣカードを前記第１のガイド部に搬送した後、前記保留部を第２の位置に移動させることにより前記第１のＩＣカードを前記第１のガイド部に保持して前記搬送路から退避させ、前記第１のＩＣカードとは異なる第２のＩＣカードを前記搬送路及び第２のガイド部によって前記データ処理部と前記挿入口との間で搬送させる制御部と、
を有するＩＣカード処理装置。
【請求項２】
前記制御部は、
前記挿入口から挿入された前記第１のＩＣカードを前記搬送路によって前記データ処理部に搬送し、前記データ処理部を制御して前記第１のＩＣカードからデータを読み取る読取手段と、
前記読取手段によって読取が終了した第１のＩＣカードを前記保留部の前記第１のガイド部に搬送し、前記保留部を第２の位置に移動させる退避手段と、
前記第２のＩＣカードを前記搬送路及び前記保留部の第２のガイド部によって前記データ処理部に搬送し、前記データ処理部を制御して前記第１のＩＣカードから読み取ったデータの少なくとも一部を前記第２のＩＣカードに書き込む書込手段と、
前記書込手段によって書込が終了した第２のＩＣカードを前記搬送路、前記保留部の第２のガイド部、及び前記挿入口を介して装置外部へ排出する第１の排出手段と、
前記保留部を第１の位置に移動させ、前記第１のガイド部から前記第１のＩＣカードを前記搬送路を介して前記データ処理部に搬送し、前記データ処理部を制御して前記第１のＩＣカードからデータを消去する消去手段と、
前記消去手段によって消去が終了した前記第１のＩＣカードを前記搬送路、前記保留部の第１のガイド部、及び前記挿入口を介して装置外部へ排出する第２の排出手段と、
を有する請求項１記載のＩＣカード処理装置。
【請求項３】
前記搬送路に沿って設けられ、前記ＩＣカードの表面に対して印字及び消字を行う印刷処理部をさらに有し、
前記制御部は、
前記搬送路によって搬送される第２のＩＣカードに対して、前記印刷処理部を制御して前記第２のＩＣカードの表面に所定の印字を行う印字手段と、
前記保留部の第１のガイド部から前記搬送路を介して搬送される前記第１のＩＣカードに対して、前記印刷処理部を制御して表面の印字を消字する消字手段と、
をさらに有する請求項２記載のＩＣカード処理装置。
【請求項４】
前記保留部は、
前記保留部が前記第１の位置にあるときに前記第１のガイド部を搬送される前記第１のＩＣカードを搬送し、第２の位置にあるときに前記第２のガイド部を搬送される前記第２のＩＣカードを搬送する駆動ローラと、
前記保留部の移動に伴って一緒に移動され、前記保留部が前記第１の位置にあるときに前記第１のガイド部を搬送される前記第１のＩＣカードを前記駆動ローラとともに挟持して搬送し、前記第２の位置にあるときに前記第１のガイド部に保持された前記第１のＩＣカードに接触した状態を維持するピンチローラと、
をさらに有する請求項１乃至請求項３の何れか１項記載のＩＣカード処理装置。
【請求項５】
前記保留部は、
前記ピンチローラを前記第１のガイド部に保持された前記第１のＩＣカード側に付勢する付勢手段
をさらに有する請求項４記載のＩＣカード処理装置。
【請求項６】
前記保留部は、
前記保留部が第２の位置にあるときに前記第２のＩＣカードを、前記ピンチローラと挟持することなく前記駆動ローラの摩擦力によって搬送する、
請求項４または請求項５記載のＩＣカード処理装置。 
【発明の詳細な説明】
【技術分野】
【０００１】
本発明の実施形態は、ＩＣカード処理装置に関する。
【背景技術】
【０００２】
近年、交通分野における乗車券や、行政分野等における身分証明書や、各種決済手段としてのクレジットカード等、様々な場面でＩＣカードが普及している。ＩＣカードの長期利用に伴い、ＩＣカードを２枚以上処理する必要がある場合がある。
【０００３】
例えば、駅務のＩＣ定期券は、長年の使用により、ＩＣカードの定期区間等を示す表面印字が劣化して読み取りが困難になったり、ＩＣカードの一部が破損や欠損して利用不能になったりする場合がある。このような場合に、ユーザは、駅にある定期券発行所の駅係員に申請して、ＩＣカードを再発行する必要がある。
【０００４】
このとき、定期券発行所の駅係員は、劣化や破損したＩＣカードである旧ＩＣカードを、ＩＣカードに各種処理を施すＩＣカード処理装置に、挿入する。ＩＣカード処理装置は、旧ＩＣカードに記録されたデータを読み取ると、旧ＩＣカードを一旦排出する。
【０００５】
続いて、駅係員は、再発行用のＩＣカードである新ＩＣカードをＩＣカード処理装置に挿入するか、内部にＩＣカードが集積されたホッパから新ＩＣカードを繰り出させる。ＩＣカード処理装置は、旧ＩＣカードから読み取ったデータを新ＩＣカードに記録し、定期区間等の表面印字を新ＩＣカードの表面に印刷すると、新ＩＣカードを排出する。これにより、新ＩＣカードが発行される。
【０００６】
続いて、駅係員は、旧ＩＣカードをＩＣカード処理装置に再度挿入する。ＩＣカード処理装置は、旧ＩＣカードに記録されたデータを消去し、表面印字を消去するか表面印字に×印を印刷して消字し、旧ＩＣカードを排出する。これにより、旧ＩＣカードが廃券される。
【０００７】
このため、従来の技術では、駅係員は、ＩＣカードを再発行する際、旧ＩＣカードを２回挿入する必要があり、手間を要する。また、ＩＣカードに記録されたデータは通常セキュリティ性の高い情報であり、旧ＩＣカードからデータを削除しておくこと及び旧ＩＣカードを無効化することは、必須である。しかしながら、２回目の旧ＩＣカードの挿入を駅係員が忘れてしまい、旧ＩＣカードの廃券がされない恐れもある。
【０００８】
このような不具合を防止するために、旧ＩＣカードからデータの読取の後、旧ＩＣカードを排出せずにＩＣカード処理装置内に保留する技術も開発されている。しかしながら、ＩＣカード処理装置内に旧ＩＣカードを保留しておくためには保留部が必要となり、ＩＣカード処理装置が大型化してしまうという欠点があった。
【先行技術文献】
【特許文献】
【０００９】
【特許文献１】特開２００７−２６５１３６号公報
【発明の概要】
【発明が解決しようとする課題】
【００１０】
そこで、本発明が解決しようとする課題は、ＩＣカード処理装置内で複数枚のＩＣカードを処理できるとともに、装置を小型化できるＩＣカード処理装置を提供することである。
【課題を解決するための手段】
【００１１】
上記課題を解決するために、実施形態に係るＩＣカード処理装置は、操作者によってＩＣカードが挿入される挿入口と、前記挿入口から挿入されたＩＣカードを装置内部で往復搬送させる搬送路と、前記搬送路に沿って設けられ、前記ＩＣカードに対してデータの読取及び書込を行うデータ処理部と、前記搬送路中に前記ＩＣカードの搬送面と直交する方向に移動可能に設けられ、第１の位置にあるとき前記搬送路を構成する第１のガイド部と、前記ＩＣカードの搬送面と直交する方向に移動した第２の位置にあるとき前記搬送路を構成する第２のガイド部とを有する保留部と、前記保留部が第１の位置にあるときに前記搬送路を搬送された第１のＩＣカードを前記第１のガイド部に搬送した後、前記保留部を第２の位置に移動させることにより前記第１のＩＣカードを前記第１のガイド部に保持して前記搬送路から退避させ、前記第１のＩＣカードとは異なる第２のＩＣカードを前記搬送路及び第２のガイド部によって前記データ処理部と前記挿入口との間で搬送させる制御部と、を有する。
【図面の簡単な説明】
【００１２】
【図１】実施形態に係るＩＣカード処理装置の構成例を示す模式的断面図。
【図２】保留部が待機状態を示す図１のａ−ａ’で示す断面図。
【図３】保留部が第１のＩＣカードを搬送時の状態を示す図１のａ−ａ’で示す断面図。
【図４】保留部が第１のＩＣカードを保留時の状態を示す図１のａ−ａ’で示す断面図。
【図５】保留部が第２のＩＣカードを搬送時の状態を示す図１のａ−ａ’で示す断面図。
【図６】第１のＩＣカードを搬送時の状態及び保留時の状態を示す一部断面図。
【図７】２枚のＩＣカードの処理の流れの概要を示すフローチャート。
【図８】ＩＣカード処理装置の電気的構成を示すブロック図。
【図９】ＩＣカード処理装置の、ＩＣカード再発行の流れを示すフローチャート。
【図１０】ＩＣカード処理装置の、ＩＣカード再発行の流れを示すフローチャート。
【発明を実施するための形態】
【００１３】
以下、実施形態に係るＩＣカード処理装置１００について、図面を参照して説明する。
【００１４】
（第１の実施形態）
まず、図１を参照して、実施形態に係るＩＣカード処理装置１００について説明する。図１は、実施形態に係るＩＣカード処理装置１００の構成例を示す模式的断面図である。ここで、ＩＣカード処理装置１００は、鉄道の窓口処理装置等に併設され、ＩＣ定期券の再発行を行うＩＣカード処理装置１００を例として説明する。
【００１５】
ＩＣカード処理装置１００は、挿入口１と、搬送モータ２と、複数個の駆動ローラ３と、複数個のピンチローラ４と、保留部５と、ソレノイド６（図示せず）と、データ処理部７と、印刷処理部８と、印字ヘッド９と、消字ヘッド１０と、ホッパ１１と、繰出モータ１２と、繰出ローラ１３と、第１乃至第７のセンサ１４〜２０と、制御部２１（図示せず）と、を備えるものである。
【００１６】
挿入口１は、駅係員等であるＩＣカード処理装置１００の操作者が、ＩＣカードを挿入する部分である。また、挿入口１は、ＩＣカード処理装置１００内での処理が終了したＩＣカードが排出される部分である。挿入口１は、操作者がＩＣカードの出し入れを行い易いよう、装置手前に配置される。
【００１７】
この例においては、長方形状のＩＣカードが長手方向に、操作者によって挿入口１へ挿入される。また、処理が施されたＩＣカードが、同じく長手方向に、挿入口１から排出されるので、この外へ排出されたＩＣカードの部分を掴むことで、操作者はＩＣカードを抜き取ることができる。
【００１８】
搬送モータ２と、複数個の駆動ローラ３と、複数個のピンチローラ４と、は、ＩＣカードを搬送する搬送路を構成するものである。ＩＣカードは、複数個の駆動ローラ３と、複数個のピンチローラ４と、各駆動ローラ３を駆動させる搬送モータ２と、により構成される搬送路を通って、ＩＣカード処理装置１００内を往復移動する。
【００１９】
駆動ローラ３とピンチローラ４は互いに対向して搬送路の上下に配置され、それぞれ、摩擦係数が高いゴムローラで構成されている。駆動ローラ３は、搬送モータ２の駆動により、ＩＣカードを正方向（図１中、紙面に対し左向きの方向、すなわちＩＣカード処理装置１００の奥側）または負方向（図１中、紙面に対し右向きの方向、すなわちＩＣカード処理装置１００の挿入口側）に搬送するように回転する。駆動ローラ３が回転することで、駆動ローラ３と当接するピンチローラ４も併せて同じ方向へ回転する。ＩＣカードは、上下に配置された駆動ローラ３とピンチローラ４との間で、摩擦力により、回転方向へ送り出される。搬送モータ２は、例えば、ステッピングモータが用いられ、後述する制御部２１により制御される。以上の仕組みにより、搬送路が構成される。
【００２０】
保留部５は、ＩＣカード処理装置１００内にＩＣカードが２枚ある場合に、そのうちの１枚を搬送路から退避させて保持し、もう１枚のＩＣカードを、ＩＣカード処理装置１００内で搬送させるための機構である。図示しないソレノイド６を駆動させることで、上下、すなわち搬送路の搬送面と直交する方向に、後述する保留部５の本体５５を移動させることで、ＩＣカードの退避及び保持がなされる。
【００２１】
データ処理部７は、ＩＣカードに内蔵されたＩＣチップとの間で非接触通信によるデータ伝送を行い、所定の処理を施すものである。この例では、データ処理部７は、ＩＣカードからデータを読み取る読取処理と、ＩＣカードに対しデータを書き込む書込処理と、ＩＣカードからデータを消去する消去処理と、を行う。なお、読取処理は、読み取ったデータを、装置内部または装置外部の上位システムにある記憶部（図示せず）に保存する。また、書込処理は、保存したデータをこの記憶部から受け取り、ＩＣカードに書き込む。データ処理部７は、後述する制御部２１により制御される。
【００２２】
印刷処理部８は、ＩＣカードの表面の定期区間等の表面印字に関する処理を施すものである。この例では、印刷処理部８は、印字ヘッド９と、消字ヘッド１０と、を有する。印字ヘッド９は、表面印字を印字する印字処理を施すものである。消字ヘッド１０は、印字済みの表面印字を消字する消字処理を施すものである。印刷処理部８は、後述する制御部２１により制御される。
【００２３】
なお、印刷処理部８は、消字ヘッド１０が省略される場合がある。表面印字を消字する代わりに、印字ヘッド９が表面印字に×印を印刷する場合等である。また、印刷処理部８は、一つのサーマルヘッドが、印字ヘッド９と消字ヘッド１０の両方の役割を果たす場合もある。サーマルヘッドが発する熱のエネルギーの高低によって発色、すなわち印字処理と、消色、すなわち消字処理と、の両方が行える場合等である。
【００２４】
ホッパ１１と、操出モータ１２と、操出ローラ１３と、は、集積したＩＣカードを、所定のタイミングに応じて、搬送路へ１枚ずつ繰り出す機構を構成するものである。ホッパ１１は、複数枚集積されたＩＣカードを収容するスペースである。この例では、未使用のＩＣカードが集積されている。操出モータ１２は、操出ローラ１３を負方向（図１中、ＩＣカードを紙面に対し右向きの方向に移動させる方向）に回転させるものである。操出ローラ１３は、繰出モータ１２の駆動により負方向へ回転し、ホッパ１１に集積されたＩＣカードの最下段にあるＩＣカード１枚を、搬送路へ繰り出すものである。
【００２５】
操出モータ１２は、例えば、ステッピングモータが用いられ、後述する制御部２１により制御される。操出ローラ１３は、例えば、摩擦係数が高いゴムローラが用いられる。
【００２６】
第１乃至第７のセンサ１４〜２０は、ＩＣカード処理装置１００内における、ＩＣカードの通過位置を検知するセンサである。各センサは、透過型センサが用いられる。透過型センサは、搬送路の搬送面と直交する方向にそれぞれ所定の距離だけ離れた位置に、投光器と受光器とが上下に対となって設置される。センサが明から暗となると、ＩＣカードが、センサ設置箇所を通過中であることを検知でき、センサが暗から明となると、ＩＣカードが、センサ設置箇所を通過し終えたことを検知できる。また、各センサの検知結果は、後述する制御部２１へ入力される。
【００２７】
第１のセンサ１４は、操作者がＩＣカード端部を掴んだ状態で挿入口１からＩＣカードを長手方向に挿入した際に、ＩＣカードが所定の長さ分だけ装置内部に挿入された位置に、設置されている。第１のセンサ１４は、挿入口１からＩＣカードがこの所定の長さ分だけ挿入されると、明から暗となる。すなわち、第１のセンサ１４により、ＩＣカードが挿入されたことが検知される。
【００２８】
また、ＩＣカードを排出する際に、ＩＣカード端部が挿入口１からこの所定の長さ分だけ装置外部へ飛び出る位置にＩＣカードがあるときは、第１のセンサ１４が暗であり、操作者によってＩＣカードが抜き取られると、第１のセンサ１４が明となる。すなわち、第１のセンサ１４により、ＩＣカードが排出され、操作者によって抜き取られたことが検知される。
【００２９】
第２のセンサ１５及び第３のセンサ１６は、第３のセンサ１６が明から暗となり、続いて第２のセンサ１５が明から暗となることで、正方向から搬送されてきたＩＣカードが、保留部５の所定の位置まで到達したことを検知できる。
【００３０】
第４のセンサ１７及び第５のセンサ１８は、第５のセンサ１８が明から暗となり、続いて第４のセンサ１７が暗から明となることで、正方向から搬送されてきたＩＣカードが、印刷処理部８の所定の位置まで到達したことを検知できる。
【００３１】
第６のセンサ１９及び第７のセンサ２０は、第７のセンサ２０が明から暗となり、続いて第６のセンサ１９が暗から明となることで、正方向から搬送されてきたＩＣカードが、データ処理部７の所定の位置まで到達したことを検知できる。また、第６のセンサ１９が明から暗となり、続いて第７のセンサ２０が暗から明となることで、負方向から搬送されてきたＩＣカードが、データ処理部７の所定の位置まで到達したことを検知できる。
【００３２】
制御部２１は、これまでに挙げてきた各部と情報の授受を行い、また、各部の制御を行うものである。詳細については、図８を参照して、後述する。
【００３３】
ここで、図２を参照して、ＩＣカード処理装置１００の保留部５について説明する。図２は、ＩＣカード処理装置１００の保留部５が待機状態を示す図１のａ−ａ’で示す断面図である。
【００３４】
ＩＣカード処理装置１００の保留部５は、下側基板５０と上側基板５１とを有し、これら下側基板５０と上側基板５１とは、複数本の支柱５２（図２では２本のみ図示）によって、所定の距離離間して支持されている。上側基板５１にはＵ字状のアーム５３が固定されており、このＵ字状アーム５３には、駆動ローラ３ａのシャフト５４が回転自在に支持されている。このシャフト５４には、駆動ローラ３ａが固定されている。搬送モータ２の回転軸とシャフト５４には駆動ベルト（図示せず）が架け渡されており、搬送モータ２を回転することにより、駆動ローラ３ａも回転させられる。この駆動ローラ３ａの下端が、ＩＣカードの搬送路に対向するようになっている。
【００３５】
支柱５２には、保留部５の本体５５が摺動自在に固定されている。保留部５の本体５５は、搬送路を構成する一対の切欠で構成された第１のガイド部５６と、同じく搬送路を構成する一対の切欠で構成された第２のガイド部５７とを有している。また、この保留部５の本体５５には、ピンチローラ４ａのシャフト５８が、保留部５の本体５５に埋め込まれた状態で、回転自在に支持されている。このピンチローラ４ａのシャフト５８には、保留部５のピンチローラ４ａが固定されている。保留部５の本体５５が上方（後述する第１の位置）に位置するとき、ピンチローラ４ａの上端が、ＩＣカードの搬送路に対向するようになっている。
【００３６】
駆動ローラ３ａと対向してピンチローラ４ａが設けられており、搬送路を搬送されてきたＩＣカードはこれらの駆動ローラ３ａとピンチローラ４ａとで挟持されて搬送されるようになっている。
【００３７】
第１のガイド部５６は、第２のガイド部５７より、ＩＣカードの搬送面に直交する方向（上下方向）へ距離ｄ１分下方に位置する。
【００３８】
保留部５の本体５５は、ソレノイド６（図示せず）の非駆動時は支柱５２の外側に実装された第１の圧縮バネ５９によって第１の位置に保持され、ソレノイド６の駆動よって第２の位置に移動させられるようになっている。第１のガイド部５６と、第２のガイド部５７と、シャフト５８と、ピンチローラ４ａとは、保留部５の本体５５と一体となって上下方向に移動する。すなわち、ソレノイド６が非駆動時には第１のガイド部５６が搬送路と対向する第１の位置に移動させられ、ソレノイド６が駆動されたときには第２のガイド部５７が搬送路と対向する第２の位置に移動させられる。
【００３９】
ソレノイド６が駆動されていないときは、保留部５の本体５５が、支柱５２の外側に実装された第１の圧縮バネ５９により上方である第１の位置にあり、第１のガイド部５６が構成する搬送路が、保留部５の駆動ローラ３ａの下端及び保留部５のピンチローラ４ａの上端が当接する位置にある。保留部５の本体５５がこの第１の位置にあるとき、ＩＣカードを駆動ローラ３ａ及びピンチローラ４ａで挟持して搬送可能とする。
【００４０】
第１のＩＣカードが第１のガイド部５６に保持された状態でソレノイド６が駆動されると、保留部５の本体５５が、第１の位置から、距離ｄ１分降下した第２の位置に移動し、第２のガイド部５７が構成する搬送路が、保留部５の駆動ローラ３ａの下端が第２のＩＣカードに当接する位置にある。保留部５のピンチローラ４ａは、本体５５とともに降下するため、第２のＩＣカードは、駆動ローラ３ａの摩擦力によってのみ搬送可能とする。
【００４１】
また、保留部５の本体５５が第２の位置にあるとき、第１のガイド部５６に保持されたＩＣカードは、保留部５のピンチローラ４ａの上端が当接し、ＩＣカードを保持可能とする。後述するようにピンチローラ４ａは第２の圧縮バネ６０によって上方に付勢されているため、ＩＣカードを第１のガイド部５６に保持した状態を維持することができる。
【００４２】
なお、第１のガイド部５６及び第２のガイド部５７の切欠は、挿入されるＩＣカードの幅と同じまたはその幅よりも少し大きい幅を有する。すなわち、ＩＣカードが長手方向に挿入される場合、切欠の端部からもう一方の切欠の端部までの距離ｄ２が、ＩＣカードの短手方向の辺の幅と同じまたはその幅よりも少し大きい値をとる。
【００４３】
以上のように構成されたＩＣカード処理装置１００の動作を、ＩＣカードの再発行を例にとって説明する。
【００４４】
ＩＣカード処理装置１００の操作者は、劣化や破損したＩＣカードである第１のＩＣカード（ここでは、旧ＩＣカードと称する。）を、挿入口１に、挿入する。旧ＩＣカードが挿入されると、第１のセンサ１４が、旧ＩＣカードが挿入されたことを検知する。これに伴い、搬送モータ２は、旧ＩＣカードを正方向へ搬送する。データ処理部７が配置された位置に旧ＩＣカードが到達したことを第７のセンサ２０が検知すると、データ処理部７は、旧ＩＣカードに記録されたデータを読み取り、読み取ったデータを記憶部に保存する。
【００４５】
読取処理を終了すると、搬送モータ２は、旧ＩＣカードを負方向へ搬送させる。第２のセンサ１５及び第３のセンサ１６が、旧ＩＣカードが保留部５の所定の位置へ到達したことを検知する。これに伴い、保留部５は、旧ＩＣカードを保留する。
【００４６】
続いて、旧カードが保留されると、操出モータ１２は、ホッパ１１から、新規のＩＣカードである第２のＩＣカード（ここでは、新ＩＣカードと称する。）を負方向へ繰り出す。新ＩＣカードが繰り出され、搬送され、データ処理部７が配置された位置に新ＩＣカードが到達したことを第６のセンサ１９が検知すると、データ処理部７は、旧ＩＣカードから読み取って保存したデータを、新ＩＣカードに書き込む。
【００４７】
印字処理を終了すると、搬送モータ２は、新ＩＣカードを負方向へ搬送し、新ＩＣカードを挿入口１から排出する。新ＩＣカードが排出され、操作者によって抜き取られたことを第１のセンサ１４が検知すると、保留部５は、旧ＩＣカードの保留を解除する。
【００４８】
これに伴い、搬送モータ２は、旧ＩＣカードを正方向へ搬送する。データ処理部７が配置された位置に旧ＩＣカードが到達したことを第７のセンサ２０が検知すると、データ処理部７は、旧ＩＣカードに記録されたデータを消去する。
【００４９】
消去処理を終了すると、搬送モータ２は、旧ＩＣカードを負方向へ搬送させる。印刷処理部８に旧ＩＣカードが到達したことを第４のセンサ１７が検知すると、印刷処理部８は、印字済みの表面印字を消字する。
【００５０】
消字処理を終了すると、搬送モータ２は、旧ＩＣカードを負方向へ搬送し、旧ＩＣカードを挿入口１から排出する。旧ＩＣカードが排出され、操作者によって抜き取られたことを第１のセンサ１４が検知すると、ＩＣカード処理装置１００は、ＩＣカードの再発行を終了する。
【００５１】
次に、図２乃至図５を参照して、ＩＣカード処理装置１００の保留部５の動作について詳細に説明する。図２は、保留部５が待機状態を示す図１のａ−ａ’で示す断面図である。
【００５２】
ＩＣカード処理装置１００内にＩＣカードが１枚も挿入されていないとき、ＩＣカード処理装置１００の保留部５は待機状態にあり、ソレノイド６（図示せず）が非駆動状態であるので、本体５５は第１の位置にある。このとき、保留部５のピンチローラ４ａは、保留部５の駆動ローラ３ａに当接する。保留部５のピンチローラ４ａは、後述する保留部５の本体５５に埋め込まれた第２の圧縮バネ６０により、上方向へ付勢されている。
【００５３】
図３は、保留部５が第１のＩＣカードを搬送時の状態を示す図１のａ−ａ’で示す断面図である。
【００５４】
ＩＣカード処理装置１００の保留部５を 第１のＩＣカードが通過中のとき、保留部５の本体５５は、第１の位置にある。保留部５の本体５５が第１の位置にあるとき、保留部５の駆動ローラ３ａと保留部５のピンチローラ４ａとが接する線が、他の駆動ローラ３とピンチローラ４とにより構成される搬送路の搬送面と略同じ高さに並ぶ。よって、第１のＩＣカードは、第１のガイド部５６により構成される搬送路を通過し、装置内を往復搬送される。
【００５５】
このとき、保留部５の駆動ローラ３ａと保留部５のピンチローラ４ａとが、搬送中の第１のＩＣカードに当接する。保留部５の駆動ローラ３ａが正方向（図３中紙面の奥方向）に回転することで、駆動ローラ３ａとピンチローラ４ａとで挟持された第１のＩＣカードは、正方向に搬送される。また、保留部５の駆動ローラ３ａが負方向（図３中紙面の手前方向）に回転することで、第１のＩＣカードは負方向に搬送される。
【００５６】
図４は、保留部が第１のＩＣカードを保留時の状態を示す図１のａ−ａ’で示す断面図である。
【００５７】
第１のＩＣカードを保留部５の本体５５の第１のガイド部５６に保持した状態でソレノイド６を駆動し、保留部５の本体５５が第２の位置に移動した状態にある。保留部５の本体５５が第２の位置にあるとき、保留部５の駆動ローラ３ａの下端が、第２のガイド部５７により構成される搬送路の搬送面と略同じ高さに並ぶ。一方、第１のガイド部５６により構成される搬送路は、第１のＩＣカードを第１のガイド部５６の切欠間に保持した状態で、搬送路の搬送面の高さから距離ｄ１分降下した位置にある。
【００５８】
またこのとき、保留部５のピンチローラ４ａの上端は、第１のガイド部５６に保持された第１のＩＣカードに当接し、第１のＩＣカードを、後述する第２の圧縮バネ６０により、第１のガイド部５６の上側に対して付勢している。この付勢力により、第１のＩＣカードが保持されている間、第１のＩＣカードが上下方向や搬送面内でずれてしまうのを防ぐことができる。
【００５９】
図５は、保留部５が第２のＩＣカードを搬送時の状態を示す図１のａ−ａ’で示す断面図である。
【００６０】
ＩＣカード処理装置１００の保留部５に第１のＩＣカードを保留中かつ第２のＩＣカードを保留部５が搬送中であるとき、保留部５の本体５５は、第２の位置にある。具体的には、第１のガイド部５６に１枚のＩＣカードを保持し、第２のガイド部５７が構成する搬送路を第２のＩＣカードが搬送される。
【００６１】
このとき、保留部５の駆動ローラ３ａの下端が、第２のＩＣカードと当接する。保留部５の駆動ローラ３ａが正方向（図５中紙面の奥方向）に回転することで、駆動ローラ３ａの摩擦力により、第２のＩＣカードは正方向に搬送される。また、保留部５の駆動ローラ３ａが負方向（図５中紙面の手前方向）に回転することで、駆動ローラ３ａの摩擦力により、第２のＩＣカードは負方向に搬送される。
【００６２】
このとき、第２のガイド部５７により構成される搬送路は、保留部５の駆動ローラ３ａと保留部５のピンチローラ４ａとの間で第２のＩＣカードを挟持するのではなく、保留部５の駆動ローラ３ａと、第２のガイド部５７の切欠の端部下側２箇所とで第２のＩＣカードを支持してＩＣカードを搬送する。
【００６３】
このように、第２のＩＣカードを処理する際、第１のＩＣカードが、第１のガイド部５６に保持された状態で、第２のＩＣカードの搬送の妨げにならない位置に退避しているため、ＩＣカード処理装置１００内で、２枚のＩＣカードを処理することが可能となる。
【００６４】
ここで、図６を参照して、保留部５のピンチローラ４ａ及び第２の圧縮バネ６０の詳細構造について説明する。図６は、第１のＩＣカードの搬送時の状態及び保留時の状態を示す一部断面図である。
【００６５】
保留部５のピンチローラ４ａ及び第２の圧縮バネ６０は、保留部５の本体５５にピンチローラ４ａのシャフト５８ごと埋め込まれており、本体５５の上下移動と一体となって上下方向に移動する。
【００６６】
付勢手段である第２の圧縮バネ６０は、保留部５のピンチローラ４ａのシャフト５８に、上方向への力を付勢するものである。シャフト５８は上方に付勢されるが、所定の距離を超えて移動することはない。これにより、保留部５のピンチローラ４ａに当接する物に、保留部５のピンチローラ４ａを介して、上方向への力が加わる。
【００６７】
図６（ａ）は、第１のＩＣカードの搬送時の状態（図３参照）を示す一部断面図である。このとき、付勢手段である第２の圧縮バネ６０による上方向への力は、保留部５のピンチローラ４ａを介して、搬送中のＩＣカードへ付勢される。同時に、高さが固定されている保留部５の駆動ローラ３ａが、搬送中のＩＣカードに上から当接している。保留部５の駆動ローラ３ａ及び保留部５のピンチローラ４ａによりＩＣカードは挟持され、所定の高さの搬送面において、搬送される。
【００６８】
図６（ｂ）は、第１のＩＣカードの保留時の状態（図４参照）を示す一部断面図である。このとき、付勢手段である第２の圧縮バネ６０による上方向への力は、保留部５のピンチローラ４ａを介して、保留中のＩＣカードへ付勢される。また、このとき本体５５が第２の位置にあるため、保留中のＩＣカードには、駆動ローラ３ａが上から当接しない。このため、ＩＣカードは、第１のガイド部５６の切欠の端部上側２箇所へ付勢され、ＩＣカードが上下方向や搬送面内でずれてしまうのを防ぐことができる。
【００６９】
続いて、図７を参照して、ＩＣカード処理装置１００が、２枚のＩＣカードに対し処理を実行する流れを説明する。図７は、２枚のＩＣカードの処理の流れの概要を示すフローチャートである。
【００７０】
まず、ＩＣカード処理装置１００に第１のＩＣカードが挿入されると、第１のＩＣカードに対する第１の処理が実行される（ステップＳ１）。ここで、ＩＣカードの再発行を例にとると、第１のＩＣカードとは、旧ＩＣカードに相当する。また、第１の処理とは、旧ＩＣカードのデータの読取処理に相当する。
【００７１】
続いて、第１のＩＣカードに対する保留処理が実行される（ステップＳ２）。ここで、ＩＣカードの再発行を例にとると、旧ＩＣカードを第１のガイド部５６に保持し、第１のガイド部ごと退避する処理に相当する。
【００７２】
次に、ＩＣカード処理装置１００内に第２のＩＣカードが投入されると、第２のＩＣカードに対する第２の処理が実行される（ステップＳ３）。ここで、ＩＣカードの再発行を例にとると、第２のＩＣカードとは、新ＩＣカードに相当する。新ＩＣカードは、ホッパから繰り出されるか、操作者によって挿入されるかによって、ＩＣカード処理装置１００内に投入される。また、第２の処理とは、新ＩＣカードのデータの書込処理及び表面印字の印字処理を実行し、新ＩＣカードを排出する処理に相当する。
【００７３】
そして最後に、第１のＩＣカードに対する第３の処理が実行される（ステップＳ４）。ここで、ＩＣカードの再発行を例にとると、第３の処理とは、旧ＩＣカードの保留を解除して再び搬送し、データの消去処理及び表面印字の消字処理を実行し、旧ＩＣカードを排出する処理に相当する。
【００７４】
以上のステップによれば、第１のＩＣカード（旧ＩＣカード）の挿入及び排出を行う工程が、従来技術では２回必要であったのに対し、１回となり、業務効率が向上する。
【００７５】
ここで、図８のブロック図を参照して、ＩＣカード処理装置１００の制御部２１が、各部をどのように制御しているかを説明する。
【００７６】
制御部２１には、第１乃至第７のセンサ１４〜２０の検知結果が入力される。また、データ処理部７及び印刷処理部８からは、それぞれ、各種処理が開始した旨や終了した旨等の、処理ステータスが入力される。これらの入力値に応じて、制御部２１は、ＩＣカード処理装置１００の搬送モータ２と、ソレノイド６と、操出モータ１２と、データ処理部７と、印刷処理部８と、を制御する。
【００７７】
次に、図９のフローチャートを参照して、ＩＣカード処理装置１００が、ＩＣカードを再発行する流れの詳細を、説明する。図９は、ＩＣカード処理装置１００の、ＩＣカード再発行の流れを示すフローチャートである。なお、ここでは、ホッパ１１から新ＩＣカードが繰り出される場合を例とする。
【００７８】
まず、制御部２１は、第１のセンサ１４が明から暗となるかを判定する（ステップＳ１０１）。第１のセンサ１４が暗となると（ステップＳ１０１でＹＥＳ）、第１のＩＣカードである旧ＩＣカードが操作者によって挿入されたことが分かる。旧ＩＣカードの挿入が検知されると、制御部２１は、搬送モータ２を正方向へ駆動し、挿入された旧ＩＣカードを正方向へ搬送する（ステップＳ１０２）。
【００７９】
続いて、制御部２１は、第７のセンサ２０が明から暗となるかを判定する（ステップＳ１０３）。第７のセンサ２０が明の間（ステップＳ１０３でＮＯ）は、搬送モータ２は正方向へ駆動したままである。第７のセンサ２０が暗となると（ステップＳ１０３でＹＥＳ）、旧ＩＣカードがデータ処理部７へ到達したことが分かる。旧ＩＣカードがデータ処理部７へ到達したことが検知されると、制御部２１は、搬送モータ２の駆動を停止するとともに、データ処理部７に、旧ＩＣカードからの読取処理を実行させる（ステップＳ１０４）。ここで読み取ったデータはＩＣカード処理装置１００内の記憶部に記憶するか、又は上位装置に送信して上位装置に記憶させる。
【００８０】
ここまでが、制御部２１の読取手段による読取処理である。また、図７における、第１の処理Ｓ１に相当する。
【００８１】
次に、制御部２１は、読取処理が終了したか否かを判定する（ステップＳ１０５）。読取処理が終了すると（ステップＳ１０５でＹＥＳ）、制御部２１は、搬送モータ２を負方向へ駆動し、旧ＩＣカードを負方向へ搬送する（ステップＳ１０６）。
【００８２】
続いて、制御部２１は、第２のセンサ１５が明から暗となるかを判定する（ステップＳ１０７）。第２のセンサ１５が明の間（ステップＳ１０７でＮＯ）は、搬送モータ２は負方向へ駆動したままである。第２のセンサ１５が暗となると（ステップＳ１０７でＹＥＳ）、旧ＩＣカードが保留部５へ到達したことが分かる。旧ＩＣカードが保留部５へ到達したことが検知されると、制御部２１は、搬送モータ２の駆動を停止するとともに、ソレノイド６を駆動し、保留部５の本体５５を第１の位置から第２の位置へ降下させる（ステップＳ１０８）。すなわち、保留部５の第１のガイド部５６に旧ＩＣカードを保持させ、搬送路から旧ＩＣカードを退避させる。
【００８３】
ここまでが、制御部２１の退避手段による退避処理である。また、図７における、保留処理Ｓ２に相当する。
【００８４】
次に、制御部２１は、操出モータ１２を駆動し、第２のＩＣカードである新ＩＣカードを１枚、搬送路へ繰り出す（ステップＳ１０９）。さらに、制御部２１は、搬送モータ２を負方向へ駆動し、繰り出された新ＩＣカードを負方向へ搬送する（ステップＳ１１０）。
【００８５】
続いて、制御部２１は、第６のセンサ１９が明から暗となるかを判定する（ステップＳ１１１）。第６のセンサ１９が明の間（ステップＳ１１１でＮＯ）は、搬送モータ２は負方向へ駆動したままである。第６のセンサ１９が暗となると（ステップＳ１１１でＹＥＳ）、新ＩＣカードがデータ処理部７へ到達したことが分かる。新ＩＣカードがデータ処理部７へ到達したことが検知されると、制御部２１は、搬送モータ２の駆動を停止するとともに、データ処理部７に、旧ＩＣカードから読み取り、記憶しておいたデータの、新ＩＣカードへの書込処理を実行させる（ステップＳ１１２）。
【００８６】
ここまでが、制御部２１の書込手段による書込処理である。また、図７における、第２の処理Ｓ３に相当する。
【００８７】
次に、制御部２１は、書込処理が終了したか否かを判定する（ステップＳ１１３）。書込処理が終了すると（ステップＳ１１３でＹＥＳ）、制御部２１は、搬送モータ２を負方向へ駆動し、新ＩＣカードを負方向へ搬送する（ステップＳ１１４）。
【００８８】
続いて、制御部２１は、第４のセンサ１７が明から暗となるかを判定する（ステップＳ１１５）。第４のセンサ１７が明の間（ステップＳ１１５でＮＯ）は、搬送モータ２は負方向へ駆動したままである。第４のセンサ１７が暗となると（ステップＳ１１５でＹＥＳ）、新ＩＣカードが印刷処理部８へ到達したことが分かる。新ＩＣカードが印刷処理部８へ到達したことが検知されると、制御部２１は、搬送モータ２の駆動を停止するとともに、印刷処理部８に、新ＩＣカードへの印字処理を実行させる（ステップＳ１１６）。
【００８９】
ここまでが、制御部２１の印字手段による印字処理である。これもまた、図７における、第２の処理Ｓ３に相当する。
【００９０】
次に、制御部２１は、印字処理が終了したか否かを判定する（ステップＳ１１７）。印字処理が終了すると（ステップＳ１１７でＹＥＳ）、制御部２１は、搬送モータ２を負方向へ駆動し、新ＩＣカードを負方向へ搬送する（ステップＳ１１８）。
【００９１】
続いて、制御部２１は、第１のセンサ１４が明から暗となるかを判定する（ステップＳ１１９）。第１のセンサ１４が明の間（ステップＳ１１９でＮＯ）は、搬送モータ２は負方向へ駆動したままである。第１のセンサ１４が暗となると（ステップＳ１１９でＹＥＳ）、制御部２１は、搬送モータ２をさらに所定ステップ数だけ負方向へ駆動し、所定距離の分、新ＩＣカードを挿入口１に向けて搬送し、所定の位置で停止させる（ステップＳ１２０）。これにより、新ＩＣカードが、挿入口１から所定長さの分飛び出た状態となる。
【００９２】
続いて、制御部２１は、第１のセンサ１４が暗から明となるかを判定する（ステップＳ１２１）。すなわち、操作者によって新ＩＣカードが抜き取られたか否かが分かる。
【００９３】
ここまでが、制御部２１の第１の排出手段による第１の排出処理である。これもまた、図７における、第２の処理Ｓ３に相当する。
【００９４】
次に、第１のセンサが明となると（ステップＳ１２１でＹＥＳ）、新ＩＣカードが抜き取られたことが分かる。新ＩＣカードが抜き取られたことが検知されると、制御部２１は、ソレノイド６の駆動を解除し、保留部５の本体５５を第２の位置から第１の位置へ上昇させる（ステップＳ１２２）。すなわち、旧ＩＣカードの保留を解除する。
【００９５】
続いて、制御部２１は、搬送モータ２を正方向へ駆動し、旧ＩＣカードを正方向へ搬送する（ステップＳ１２３）。
【００９６】
続いて、制御部２１は、第７のセンサ２０が明から暗となるかを判定する（ステップＳ１２４）。第７のセンサ２０が明の間（ステップＳ１２４でＮＯ）は、搬送モータ２は正方向へ駆動したままである。第７のセンサ２０が暗となると（ステップＳ１２４でＹＥＳ）、旧ＩＣカードがデータ処理部７へ到達したことが分かる。旧ＩＣカードがデータ処理部７へ到達したことが検知されると、制御部２１は、搬送モータ２の駆動を停止するとともに、データ処理部７に、旧ＩＣカードへの消去処理を実行させる（ステップＳ１２５）。
【００９７】
ここまでが、制御部２１の消去手段による消去処理である。また、図７における、第３の処理Ｓ４に相当する。
【００９８】
次に、制御部２１は、消去処理が終了したか否かを判定する（ステップＳ１２６）。消去処理が終了すると（ステップＳ１２６でＹＥＳ）、制御部２１は、搬送モータ２を負方向へ駆動し、旧ＩＣカードを負方向へ搬送する（ステップＳ１２７）。
【００９９】
続いて、制御部２１は、第４のセンサ１７が明から暗となるかを判定する（ステップＳ１２８）。第４のセンサ１７が明の間（ステップＳ１２８でＮＯ）は、搬送モータ２は負方向へ駆動したままである。第４のセンサ１７が暗となると（ステップＳ１２８でＹＥＳ）、旧ＩＣカードが印刷処理部８へ到達したことが分かる。旧ＩＣカードが印刷処理部８へ到達したことが検知されると、制御部２１は、搬送モータ２の駆動を停止するとともに、印刷処理部８に、旧ＩＣカードへの消字処理を実行させる（ステップＳ１２９）。
【０１００】
ここまでが、制御部２１の消字手段による消字処理である。これもまた、図７における、第３の処理Ｓ４に相当する。
【０１０１】
次に、制御部２１は、消字処理が終了したか否かを判定する（ステップＳ１３０）。消字処理が終了すると（ステップＳ１３０でＹＥＳ）、制御部２１は、搬送モータ２を負方向へ駆動し、旧ＩＣカードを負方向へ搬送する（ステップＳ１３１）。
【０１０２】
続いて、制御部２１は、第１のセンサ１４が明から暗となるかを判定する（ステップＳ１３２）。第１のセンサ１４が明の間（ステップＳ１３２でＮＯ）は、搬送モータ２は負方向へ駆動したままである。第１のセンサ１４が暗となると（ステップＳ１３２でＹＥＳ）、制御部２１は、搬送モータ２をさらに所定ステップ数だけ負方向へ駆動し、所定距離の分、旧ＩＣカードを挿入口１に向けて搬送し、所定の位置で停止させる（ステップＳ１３３）。これにより、新ＩＣカードが、挿入口１から所定長さの分飛び出た状態となる。
【０１０３】
続いて、制御部２１は、第１のセンサ１４が暗から明となるかを判定する（ステップＳ１３４）。すなわち、操作者によって旧ＩＣカードが抜き取られたか否かを判定する。第１のセンサ１４が明となると（ステップＳ１３４でＹＥＳ）、旧ＩＣカードが抜き取られたことが分かる。
【０１０４】
ここまでが、制御部２１の第２の排出手段による第２の排出処理である。これもまた、図７における、第３の処理Ｓ４に相当する。
【０１０５】
これで、再発行の処理を終了する。
【０１０６】
（第２の実施形態）
ここで、図１０のフローチャートを参照して、第２の実施形態のＩＣカードの再発行をする流れの詳細を説明する。図１０は、ＩＣカード処理装置１００の、ＩＣカード再発行の流れを示すフローチャートである。なお、ここでは、新ＩＣカードが操作者により挿入される場合を例とする。
【０１０７】
制御部２１の読取処理（ステップＳ２０１〜Ｓ２０８）と、退避処理（ステップＳ２０１〜Ｓ２０８）と、印字処理（ステップＳ２１４〜Ｓ２１７）と、第１の排出処理（ステップＳ２１８〜Ｓ２２２）と、消去処理（ステップＳ２２３〜Ｓ２２６）と、消字処理（ステップＳ２２７〜Ｓ２３０）と、第２の排出処理（ステップＳ２３１〜Ｓ２３５）と、は、図９で説明した処理の流れと同様であるため、説明を省略する。
【０１０８】
制御部の書込処理（ステップＳ２０９〜Ｓ２１３）は、新ＩＣカードが搬送路上に送り出される手段が異なる。
【０１０９】
制御部２１の退避処理（〜Ｓ２０８）の後、制御部は、例えば、ＩＣカード処理装置１００に併設される図示しない窓口処理装置の画面上に、新ＩＣカードの挿入を促す案内を表示させる（ステップＳ２０９）。
【０１１０】
続いて、制御部２１は、第１のセンサ１４が明から暗となるかを判定する（ステップＳ２１０）。すなわち、操作者によって新ＩＣカードが挿入口１から挿入されたか否かを判定する。第１のセンサ１４が暗となると（ステップＳ２１０でＹＥＳ）、新ＩＣカードが挿入されたことが分かる。新ＩＣカードが挿入されたことが検知されると、制御部２１は、搬送モータ２を正方向へ駆動し、挿入された新ＩＣカードを正方向へ搬送する（ステップＳ２１１）。
【０１１１】
続いて、制御部２１は、第７のセンサ２０が明から暗となるかを判定する（ステップＳ２１２）。第７のセンサ２０が明の間（ステップＳ２１２でＮＯ）は、搬送モータ２は正方向へ駆動したままである。第７のセンサ２０が暗となると（ステップＳ２１２でＹＥＳ）、新ＩＣカードがデータ処理部７へ到達したことが分かる。新ＩＣカードがデータ処理部７へ到達したことが検知されると、制御部２１は、搬送モータ２の駆動を停止するとともに、データ処理部７に、新ＩＣカードへの書込処理を実行させる（ステップＳ２１３）。
【０１１２】
ここまでが、操作者が新ＩＣカードを挿入する場合の、制御部の書込手段による書込処理である。その後の処理は第１の実施形態で説明した動作と同一であるので説明を省略する。
【０１１３】
（その他の実施形態）
保留部５は、図１においては、挿入口１と、印刷処理部８との間に配置されているが、搬送路中であれば、ＩＣカード処理装置１００内のどこにあってもよい。なお、挿入口１付近は、ＩＣカードがＩＣカード端部から挿入され、ＩＣカード全体が装置内部へ投入されるまで、ＩＣカード１枚分のスペースを要する。同様にして、挿入口１付近は、ＩＣカードがＩＣカード端部から排出され、ＩＣカード全体が装置外部へ抜き取られるまで、ＩＣカード１枚分のスペースを要する。また、印刷処理部８付近は、印刷処理部がＩＣカードを少しずつずらしながら印字処理や消字処理を行うため、ＩＣカード１枚分のスペースを要する。これらの事情を踏まえると、付近にスペースを要する挿入口１と印刷処理部８との間に保留部５を設けることで、元々生じてしまうスペースが有効活用され、省スペース化につながる。
【０１１４】
また、データ処理部７は、図１においては、印刷処理部８と、ホッパ１１との間に配置されているが、搬送路中であれば、ＩＣカード処理装置１００内のどこにあってもよい。
【０１１５】
また、印刷処理部８は、図１においては、保留部５と、ホッパ１１との間に配置されているが、搬送路中であれば、ＩＣカード処理装置１００内のどこにあってもよい。
【０１１６】
なお、第１乃至第７のセンサ１４〜２０は、各部の位置や、ＩＣカードに対し各種処理を行う順番や、ＩＣカードを搬送する方向等によって、省略できるセンサもある。
【０１１７】
これまでに説明したＩＣカード処理装置１００の保留部５の本体５５は、一対の切欠で構成されたガイド部を２つ（第１のガイド部５６と第２のガイド部５７）有する。これらのうち一つのガイド部をＩＣカードの保留に用い、もう一方のガイド部をＩＣカードの搬送に用いることで、ＩＣカード処理装置１００内で同時に２枚のＩＣカードを取り扱える。
【０１１８】
実施形態に係るＩＣカード処理装置１００は、一対の切欠で構成されたガイド部の数を増やすことで、保留できるＩＣカードの枚数を増やすことができる。例えば、ガイド部を３つ有する保留部５の本体５５であれば、うち２つのガイド部はＩＣカードの保留に用いることができ、ＩＣカード処理装置１００内で同時に３枚のＩＣカードを取り扱える。
【０１１９】
なお、ガイド部の数を増やした場合、ガイド部の数に対応して、保留部５の本体５５を異なる位置（第１の位置、第２の位置、第３の位置、等）へ移動可能とするため、上下移動の制御は、ソレノイド６ではなく、ステッピングモータで行う。
【０１２０】
従来技術は別の搬送路を設けた保留部を追加していたためＩＣカード処理装置が大型化していたが、本実施形態に係るＩＣカード処理装置１００は、保留部５の本体５５に設けたガイド部を搬送路の構成とし、容易に搬送路の切替を可能としたことで、同時に２枚のＩＣカードを取り扱える、コンパクトなＩＣカード処理装置１００の提供を可能とした。
【０１２１】
これにより、例えば、駅務のＩＣ定期券の再発行の際、旧ＩＣカードにデータの読取処理を実行し、新ＩＣカードにデータの書込処理を実行し、旧ＩＣカードにデータの消去処理を実行し、という順番で行われる３つの処理を、旧ＩＣカードの挿入及び排出のセットを２回繰り返すことなく１回で行えるため、業務効率が向上する。また、旧ＩＣカードを新ＩＣカードの処理の後に再度挿入する必要がなくなるため、セキュリティの観点から必須である旧ＩＣカードの廃券を駅係員が忘れてしまうことを防げる。
【０１２２】
保留部５そのものは、保留部５の本体５５を上下させることで搬送路（ガイド部）を切り替えられ、省スペースである。特に、保留部５が、挿入口１と印刷処理部８との間にある場合、印刷処理部８は、ＩＣカードをずらしながら印字処理や消字処理を行うため、その移動分のスペースを活用でき、より一層省スペース化に寄与できる。
【０１２３】
また、保留部５の本体５５のガイド部の数を増やすことで、取り扱えるＩＣカードの枚数を増やすことができる。
【０１２４】
また、ここでは、駅務のＩＣ定期券の再発行を例にとって説明したが、本実施形態に係るＩＣカード処理装置１００が取り扱うＩＣカードは、駅務のＩＣカードに限らず、バス乗車用のＩＣカード、クレジットカード、プリペイドカードや、これらの組み合わせ等であっても良い。また、これらＩＣカードに実行する処理も、再発行に限らず、複数枚のＩＣカードに対して所定のデータの書き換えを行う場合等、種々の態様が想定される。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１００…ＩＣカード処理装置
１…挿入口
２…搬送モータ
３…駆動ローラ
４…ピンチローラ
５…保留部
６…ソレノイド
３ａ…保留部の駆動ローラ
４ａ…保留部のピンチローラ
５６…第１のガイド部
５７…第２のガイド部
５９…第１の圧縮バネ
６０…第２の圧縮バネ
７…データ処理部
８…印刷処理部
９…印字ヘッド
１０…消字ヘッド
１１…ホッパ
１２…繰出モータ
１３…繰出ローラ
１４〜２０…第１乃至第７のセンサ
２１…制御部 
【図１】
2017004384.tif 000003
【図２】
2017004384.tif 000004
【図３】
2017004384.tif 000005
【図４】
2017004384.tif 000006
【図５】
2017004384.tif 000007
【図６】
2017004384.tif 000008
【図７】
2017004384.tif 000009
【図８】
2017004384.tif 000010
【図９】
2017004384.tif 000011
【図１０】
2017004384.tif 000012